(57)【特許請求の範囲】
【請求項１】
入口から目的地までのエリアが複数に分割された各小エリアに表示装置が設置されている場合に、前記各小エリアに設置された表示装置に表示する表示コンテンツを決定する表示コンテンツ決定装置であり、
前記目的地で実施される各イベントについて、イベントの開始時刻とイベントの種別とを記憶するイベント情報記憶部と、
前記目的地へ向かう参加者がイベントの開始時刻の何時間前に前記各小エリアに到着するかの予想時間を記憶する予想時間記憶部と、
前記イベント情報記憶部が記憶した各イベントの開始時刻と、前記予想時間記憶部が記憶した予想時間とから、前記各小エリアについて、時刻毎に、到着する参加者がいるイベントを特定するイベント特定部と、
前記各小エリアについて、時刻毎に、前記イベント特定部が特定したイベントの種別に応じたコンテンツを、その小エリアに設置された表示装置におけるその時刻の表示コンテンツとして決定する表示コンテンツ決定部と
を備えることを特徴とする表示コンテンツ決定装置。
【請求項２】
前記表示コンテンツ決定部は、前記入口側の前記小エリアから前記目的地側の前記小エリアに向かって連続性があるコンテンツを、前記各小エリアに設置された表示装置の表示コンテンツとして決定する
ことを特徴とする請求項１に記載の表示コンテンツ決定装置。
【請求項３】
前記表示コンテンツ決定装置は、さらに、
複数の目的地がある場合に、目的地毎に、前記入口からその目的地へ向かう際に参加者が通る小エリアを記憶するエリア記憶部
を備え、
前記イベント特定部は、目的地毎に、その目的地で実施される各イベントの開始時刻と、前記予想時間とから、その目的地へ向かう際に参加者が通ると前記エリア記憶部が記憶した小エリアについて、時刻毎に、到着する参加者がいるイベントを特定する
ことを特徴とする請求項１又は２に記載の表示コンテンツ決定装置。
【請求項４】
前記表示コンテンツ決定部は、１つの小エリアに同時に複数の種別のイベントの参加者が到着する場合、参加者の人数が多い方の種別に応じたコンテンツを、その小エリアに設置された表示装置におけるその時刻の表示コンテンツとして決定する
ことを特徴とする請求項１から３までのいずれかに記載の表示コンテンツ決定装置。
【請求項５】
前記表示コンテンツ決定部は、１つの小エリアに同時に複数の種別のイベントの参加者が到着する場合、各種別に応じたコンテンツを、その小エリアに設置された表示装置におけるその時刻の表示コンテンツとして決定し、各種別のイベントの参加者の人数に応じた時間割合又は回数割合で、各表示コンテンツが表示されるようにする
ことを特徴とする請求項１から３までのいずれかに記載の表示コンテンツ決定装置。
【請求項６】
前記予想時間記憶部は、前記イベントの種別毎に、前記予想時間を記憶し、
前記イベント特定部は、前記各イベントの開始時刻と、各種別の予想時間とから、前記各小エリアについて、時刻毎に、到着する参加者がいるイベントを特定する
ことを特徴とする請求項１から５までのいずれかに記載の表示コンテンツ決定装置。
【請求項７】
入口から目的地までのエリアが複数に分割された各小エリアに表示装置が設置されている場合に、前記各小エリアに設置された表示装置に表示する表示コンテンツを決定する表示コンテンツ決定プログラムであって、前記目的地で実施される各イベントについて、イベントの開始時刻とイベントの種別とを記憶するイベント情報記憶装置と、前記目的地へ向かう参加者がイベントの開始時刻の何時間前に前記各小エリアに到着するかの予想時間を記憶する予想時間記憶装置とを用いて、表示コンテンツを決定する表示コンテンツ決定プログラムであり、
前記イベント情報記憶装置に記憶された各イベントの開始時刻と、前記予想時間記憶装置に記憶された予想時間とから、前記各小エリアについて、時刻毎に、到着する参加者がいるイベントを特定するイベント特定処理と、
前記各小エリアについて、時刻毎に、前記イベント特定処理で特定したイベントの種別に応じたコンテンツを、その小エリアに設置された表示装置におけるその時刻の表示コンテンツとして決定する表示コンテンツ決定処理と
をコンピュータに実行させることを特徴とする表示コンテンツ決定プログラム。
【発明の詳細な説明】
【技術分野】
【０００１】
この発明は、空港、駅、劇場、映画館等の施設に設置された表示装置に表示する表示コンテンツを決定する技術に関する。
【背景技術】
【０００２】
空港、駅、劇場、映画館等の施設には、デジタルサイネージ端末（以下、ＤＳ端末）と呼ばれる多数の表示装置が設置されており、各ＤＳ端末には、その施設の案内や、広告等のコンテンツが表示される。
デジタルサイネージは、今後拡大が見込まれており、表示するコンテンツが多様化、複雑化する可能性がある。
【先行技術文献】
【特許文献】
【０００３】
【特許文献１】特開２００１−１３６４７１号公報
【特許文献２】特開２０００−３０７５１４号公報
【発明の概要】
【発明が解決しようとする課題】
【０００４】
現状では、施設内に設置された各表示装置に、どの時間帯に、どのコンテンツを表示するかを示す番組構成は、人手により作成されている。そのため、今後コンテンツが多様化、複雑化すると、人手による番組構成の作成は限界を迎える恐れがある。
この発明は、人手によることなく、各ＤＳ端末に表示する表示コンテンツを適切に決定することを目的とする。
【課題を解決するための手段】
【０００５】
この発明に係る表示コンテンツ決定装置は、
入口から目的地までのエリアが複数に分割された各小エリアに表示装置が設置されている場合に、前記各小エリアに設置された表示装置に表示する表示コンテンツを決定する表示コンテンツ決定装置であり、
前記目的地で実施される各イベントについて、イベントの開始時刻とイベントの種別とを記憶するイベント情報記憶部と、
前記目的地へ向かう参加者がイベントの開始時刻の何時間前に前記各小エリアに到着するかの予想時間を記憶する予想時間記憶部と、
前記イベント情報記憶部が記憶した各イベントの開始時刻と、前記予想時間記憶部が記憶した予想時間とから、前記各小エリアについて、時刻毎に、到着する参加者がいるイベントを特定するイベント特定部と、
前記各小エリアについて、時刻毎に、前記イベント特定部が特定したイベントの種別に応じたコンテンツを、その小エリアに設置された表示装置におけるその時刻の表示コンテンツとして決定する表示コンテンツ決定部と
を備えることを特徴とする。
【０００６】
前記表示コンテンツ決定部は、前記入口側の前記小エリアから前記目的地側の前記小エリアに向かって連続性があるコンテンツを、前記各小エリアに設置された表示装置の表示コンテンツとして決定する
ことを特徴とする。
【０００７】
前記表示コンテンツ決定装置は、さらに、
複数の目的地がある場合に、目的地毎に、前記入口からその目的地へ向かう際に参加者が通る小エリアを記憶するエリア記憶部
を備え、
前記イベント特定部は、目的地毎に、その目的地で実施される各イベントの開始時刻と、前記予想時間とから、その目的地へ向かう際に参加者が通ると前記エリア記憶部が記憶した小エリアについて、時刻毎に、到着する参加者がいるイベントを特定する
ことを特徴とする。
【０００８】
前記表示コンテンツ決定部は、１つの小エリアに同時に複数の種別のイベントの参加者が到着する場合、参加者の人数が多い方の種別に応じたコンテンツを、その小エリアに設置された表示装置におけるその時刻の表示コンテンツとして決定する
ことを特徴とする。
【０００９】
前記表示コンテンツ決定部は、１つの小エリアに同時に複数の種別のイベントの参加者が到着する場合、各種別に応じたコンテンツを、その小エリアに設置された表示装置におけるその時刻の表示コンテンツとして決定し、各種別のイベントの参加者の人数に応じた時間割合又は回数割合で、各表示コンテンツが表示されるようにする
ことを特徴とする。
【００１０】
前記予想時間記憶部は、前記イベントの種別毎に、前記予想時間を記憶し、
前記イベント特定部は、前記各イベントの開始時刻と、各種別の予想時間とから、前記各小エリアについて、時刻毎に、到着する参加者がいるイベントを特定する
ことを特徴とする。
【００１１】
この発明に係る表示コンテンツ決定プログラムは、
入口から目的地までのエリアが複数に分割された各小エリアに表示装置が設置されている場合に、前記各小エリアに設置された表示装置に表示する表示コンテンツを決定する表示コンテンツ決定プログラムであって、前記目的地で実施される各イベントについて、イベントの開始時刻とイベントの種別とを記憶するイベント情報記憶装置と、前記目的地へ向かう参加者がイベントの開始時刻の何時間前に前記各小エリアに到着するかの予想時間を記憶する予想時間記憶装置とを用いて、表示コンテンツを決定する表示コンテンツ決定プログラムであり、
前記イベント情報記憶装置に記憶された各イベントの開始時刻と、前記予想時間記憶装置に記憶された予想時間とから、前記各小エリアについて、時刻毎に、到着する参加者がいるイベントを特定するイベント特定処理と、
前記各小エリアについて、時刻毎に、前記イベント特定処理で特定したイベントの種別に応じたコンテンツを、その小エリアに設置された表示装置におけるその時刻の表示コンテンツとして決定する表示コンテンツ決定処理と
を備えることを特徴とする。
【発明の効果】
【００１２】
この発明に係る表示コンテンツ決定装置は、参加者が見ると想定される表示装置に、参加者が参加するイベントの種別に応じたコンテンツが表示されるように、表示コンテンツを決定する。そのため、表示コンテンツを適切に決定することができる。
【図面の簡単な説明】
【００１３】
【図１】実施の形態１に係る表示システム１００の概要の説明図。
【図２】実施の形態１に係る表示システム１００の構成図。
【図３】イベント情報記憶部１４が記憶する情報の例を示す図。
【図４】予想時間記憶部１５が記憶する情報の例を示す図。
【図５】到着イベント記憶部１６が記憶する情報の例を示す図。
【図６】図５に示す情報を、小エリア、時間帯をキーとして並び変えた図。
【図７】コンテンツ記憶部１７が記憶する情報の例を示す図。
【図８】決定コンテンツ記憶部１８が記憶する情報の例を示す図。
【図９】実施の形態１に係るイベント特定部１１の動作を示すフローチャート。
【図１０】実施の形態１に係る表示コンテンツ決定部１２の動作を示すフローチャート。
【図１１】実施の形態１に係る送信部１３の動作を示すフローチャート。
【図１２】実施の形態２に係る表示システム１００の概要の説明図。
【図１３】実施の形態２に係る表示システム１００の構成図。
【図１４】エリア記憶部１９が記憶する情報の例を示す図。
【図１５】予想時間記憶部１５が記憶する情報の例を示す図。
【図１６】コンテンツ記憶部１７が記憶する情報の例を示す図。
【図１７】到着イベント記憶部１６が記憶する情報の例を示す図。
【図１８】図１７に示す情報を、小エリア、時間帯をキーとして並び変えた図。
【図１９】決定コンテンツ記憶部１８が記憶する情報の例を示す図。
【図２０】到着イベント記憶部１６が記憶する情報の例を示す図。
【図２１】図２０の場合に決定方法３を適用した例を示す図。
【図２２】実施の形態１〜３に示した表示コンテンツ決定装置１０、ＤＳ端末２０のハードウェア構成の例を示す図。
【発明を実施するための形態】
【００１４】
実施の形態１．
図１は、実施の形態１に係る表示システム１００の概要の説明図である。
空港、駅、劇場等の施設には、複数の入口と、複数の目的地とがある。図１では、入口１，２の２カ所の入口と、目的地１，２，３の３カ所の目的地とがある。目的地とは、空港であれば搭乗ゲート等であり、駅であればプラットホーム等であり、劇場であれば劇が行われる会場等である。
施設内のエリアは、複数の小エリアに分割されている。図１では、施設内のエリアは、入口側から目的地側に向かって順に、小エリアＡ：ショッピングエリア、小エリアＢ：レストランエリア、小エリアＣ：ロビーエリアに分割されている。
【００１５】
施設の各小エリアには、少なくとも１台のＤＳ端末２０が設置されている。
目的地で実施されるイベントの参加者（空港であれば旅客、駅であれば乗客、劇場や映画館であれば観客）は、いずれかの入口から施設へ入り、参加するイベントが実施される目的地へ向かう。この際、各小エリアに設置されたＤＳ端末２０を見る可能性がある。
【００１６】
表示システム１００は、参加者が見ると想定される表示装置に、参加者が参加するイベントの種別に応じたコンテンツが表示されるように、表示コンテンツを決定する。イベントの種別とは、空港であれば搭乗する航空機が国内線か国際線か等の種別であり、駅であれば乗車する列車が在来線か新幹線か等の種別であり、劇場や映画館であれば行われるのが劇か音楽界か討論会か等の種別である。イベントの種別が乗り物に関するものであれば、行き先によりイベントの種別を定めてもよい。
【００１７】
図２は、実施の形態１に係る表示システム１００の構成図である。
表示システム１００は、表示コンテンツ決定装置１０と、複数のＤＳ端末２０とを備える。
【００１８】
表示コンテンツ決定装置１０は、各小エリアに設置されたＤＳ端末２０に表示する表示コンテンツを決定する。
表示コンテンツ決定装置１０は、イベント特定部１１、表示コンテンツ決定部１２、送信部１３、イベント情報記憶部１４、予想時間記憶部１５、到着イベント記憶部１６、コンテンツ記憶部１７、決定コンテンツ記憶部１８を備える。
【００１９】
イベント特定部１１は、後述するイベント情報記憶部１４が記憶した各イベントの開始時刻と、後述する予想時間記憶部１５が記憶した、目的地へ向かう参加者がイベントの開始時刻の何時間前に各小エリアに到着するかの予想時間とから、各小エリアについて、時刻毎に、到着する参加者がいるイベントを特定する。
【００２０】
表示コンテンツ決定部１２は、各小エリアについて、時刻毎に、イベント特定部１１が特定したイベントの種別に応じたコンテンツを、その小エリアに設置されたＤＳ端末２０におけるその時刻の表示コンテンツとして決定する。
【００２１】
送信部１３は、表示コンテンツ決定部１２が決定した表示コンテンツを、対応するＤＳ端末２０へ送信して表示させる。
【００２２】
イベント情報記憶部１４は、各目的地で実施される各イベントについて、イベントの開始時刻やイベントの種別等を含むイベントの情報を記憶する記憶装置である。
図３は、イベント情報記憶部１４が記憶する情報の例を示す図である。
図３では、イベント情報記憶部１４は、イベントＮｏ毎に、イベント名称、イベント種別、言語、目的地、開始時刻、収容人数を記憶している。イベントＮｏは、イベントの識別子である。イベント名称は、イベントの名称である。イベント種別は、上述した通りであり、イベントを分類した種別である。言語は、イベントで使用される言語である。目的地は、イベントが実施される目的地である。開始時刻は、イベントが開始される時刻である。収容人数は、イベントに参加できる人数である。
【００２３】
予想時間記憶部１５は、目的地へ向かう参加者がイベントの開始時刻の何時間前に各小エリアに到着するかの予想時間を記憶する記憶装置である。
図４は、予想時間記憶部１５が記憶する情報の例を示す図である。
図４では、予想時間記憶部１５は、小エリア毎に、到着時間帯を記憶している。小エリアは、小エリアの識別子である。到着時間帯は、イベントの開始時刻の何時間前から何時間前までに小エリアにイベントの参加者が到着するかの予想時間帯である。
【００２４】
到着イベント記憶部１６は、イベント特定部１１が特定した、各小エリアについての時刻毎の到着する参加者がいるイベントの情報を記憶する記憶装置である。
図５は、到着イベント記憶部１６が記憶する情報の例を示す図である。
図５では、到着イベント記憶部１６は、イベントＮｏ、イベント名称、イベント種別、言語、目的地、小エリア、時間帯を記憶している。ここでは、小エリア、時間帯がキー項目であり、小エリア、時間帯毎に、残りの情報が記憶されると見ることができる。図６は、図５に示す情報を、小エリア、時間帯をキーとして並び変えた図である。
【００２５】
コンテンツ記憶部１７は、ＤＳ端末２０に表示するコンテンツを記憶する記憶装置である。
図７は、コンテンツ記憶部１７が記憶する情報の例を示す図である。
図７では、コンテンツ記憶部１７は、小エリアと時間帯と言語とイベント種別毎に、コンテンツを記憶している。コンテンツは、動画、静止画等である。
【００２６】
決定コンテンツ記憶部１８は、表示コンテンツ決定部１２が決定した表示コンテンツを記憶する記憶装置である。
図８は、決定コンテンツ記憶部１８が記憶する情報の例を示す図である。
図８では、決定コンテンツ記憶部１８は、小エリアと時間帯毎に、イベント名称、イベント種別、言語、コンテンツを記憶している。
【００２７】
図９は、実施の形態１に係るイベント特定部１１の動作を示すフローチャートである。
まず、イベント特定部１１は、イベント情報記憶部１４に記憶された情報と、予想時間記憶部１５に記憶された情報とを取得する（Ｓ１１）。そして、イベント特定部１１は、イベント情報記憶部１４から取得したイベント情報のレコードに、未処理のレコードがあるか否かを判定する（Ｓ１２）。
未処理のレコードがある場合（Ｓ１２で“ある”）、イベント特定部１１は、未処理のレコードを１件選択する（Ｓ１３）。そして、イベント特定部１１は、選択したレコードのイベントの開始時刻と、予想時間記憶部１５から取得した各小エリアについての予想時間帯とから、小エリア毎に、選択したレコードのイベントの参加者が到着する時刻（時間帯）を特定する（Ｓ１４）。イベント特定部１１は、小エリアと、特定した時刻（時間帯）毎に、イベント情報を到着イベント記憶部１６に記憶する（Ｓ１５）。そして、イベント特定部１１は、処理をＳ１２へ戻して、未処理のレコードがあるか否かを再び判定する。
一方、未処理のレコードがない場合（Ｓ１２で“ない”）、イベント特定部１１は、処理を終了する。
【００２８】
図１０は、実施の形態１に係る表示コンテンツ決定部１２の動作を示すフローチャートである。
まず、表示コンテンツ決定部１２は、到着イベント記憶部１６に記憶された情報と、コンテンツ記憶部１７に記憶された情報とを取得する（Ｓ２１）。そして、表示コンテンツ決定部１２は、到着イベント記憶部１６から取得した到着イベントのレコードに、未処理のレコードがあるか否かを判定する（Ｓ２２）。
未処理のレコードがある場合（Ｓ２２で“ある”）、表示コンテンツ決定部１２は、未処理のレコードを１件選択する（Ｓ２３）。表示コンテンツ決定部１２は、選択したレコードの小エリア、時刻（時間帯）、言語、イベント種別に対応したコンテンツを、選択したレコードの小エリアに設置されたＤＳ端末２０の、その時刻（時間帯）における表示コンテンツに決定する（Ｓ２４）。表示コンテンツ決定部１２は、小エリアと、時刻（時間帯）毎に、コンテンツを決定コンテンツ記憶部１８に記憶する（Ｓ２５）。そして、表示コンテンツ決定部１２は、処理をＳ２２へ戻して、未処理のレコードがあるか否かを再び判定する。
一方、未処理のレコードがない場合（Ｓ２２で“ない”）、表示コンテンツ決定部１２は、処理を終了する。
【００２９】
図１１は、実施の形態１に係る送信部１３の動作を示すフローチャートである。
まず、送信部１３は、決定コンテンツ記憶部１８に記憶された情報を取得する（Ｓ３１）。そして、送信部１３は、表示時刻になる前に、各小エリアに設置されたＤＳ端末２０へ、そのＤＳ端末２０の表示コンテンツを送信する（Ｓ３２）。
【００３０】
以上のように、実施の形態１に係る表示コンテンツ決定装置１０は、参加者が見ると想定されるＤＳ端末２０に、参加者が参加するイベントの種別に応じたコンテンツが表示されるように、表示コンテンツを決定する。そのため、表示コンテンツを適切に決定することができる。
【００３１】
なお、参加者は、入口から施設へ入り目的地へ向かうため、入口側の小エリアに設置されたＤＳ端末２０に表示されたコンテンツから、目的地側の小エリアに設置されたＤＳ端末２０に表示されたコンテンツまで、順にコンテンツを見る可能性が高い。そこで、入口側の小エリアから目的地側の小エリアへ向かって、順に連続性のあるコンテンツを、各小エリアに設置されたＤＳ端末２０の表示コンテンツとしてもよい。
この場合、コンテンツ記憶部１７は、入口側の小エリアから目的地側の小エリアへ向かって、順に連続性のあるコンテンツを記憶する。例えば、図１の例では、コンテンツ記憶部１７は、小エリアＡ、小エリアＢ、小エリアＣの順に連続性のあるコンテンツを記憶する。
【００３２】
連続性のあるコンテンツとは、例えば、ストーリーが続いているコンテンツである。つまり、小エリアＡで表示されたコンテンツのストーリーの続きが、小エリアＢで表示され、小エリアＢで表示されたコンテンツのストーリーの続きが、小エリアＣで表示される。
他には、クイズとそのクイズの答えのようなコンテンツである。つまり、小エリアＡでクイズが表示され、そのクイズのヒントが小エリアＢで表示され、そのクイズの回答が小エリアＣで表示される。
【００３３】
また、上記説明では、予想時間記憶部１５は、小エリア毎に、１つの到着時間帯を記憶していた。しかし、予想時間記憶部１５は、各小エリアについて、イベントの種別、イベントの開催時期、収容人数等に応じて異なる到着時間帯を記憶していてもよい（到着時間帯の開始時間、終了時間、開始時間から終了時間までの時間帯、全てが任意に設定できる。）。この場合、イベント特定部１１は、対応する到着時間帯を用いて処理を行う。
このように本実施の形態では、各イベントの開始時刻、開催場所（目的地）により参加者の動線を推定することにより、個々の参加者が見ると想定する表示装置を決定することができる。そして、各表示装置に、個々の参加者が参加するイベントの種別に応じたコンテンツを表示するので、興味がある参加者に興味があるコンテンツ、または派生する広告等を見せることができる。それにより、情報を周知する効果と、広告効果とが向上する。
また参加者の動線を推定することにより、参加者の動線に合わせて、連続性、ストーリー性のあるコンテンツを表示することができ、一連のコンテンツにより、参加者の関心を強く引くことが期待できる。連続性、ストーリー性があるコンテンツとは、図７に示すコンテンツ記憶部１７で示すと、「今後の音楽会情報  Ｎｏ．１」、「今後の音楽会情報  Ｎｏ．２」や「最新の映画情報  Ｎｏ．１」、「最新の映画情報  Ｎｏ．２」や「最新の韓国観光情報  Ｎｏ．１０」、「最新の韓国観光情報  Ｎｏ．１１」等のことを示している。
【００３４】
実施の形態２．
実施の形態２では、小エリアがより細かく設定されている場合について説明する。
実施の形態２では、実施の形態１と同じ部分については説明を省略し、異なる部分のみ説明する。
【００３５】
図１２は、実施の形態２に係る表示システム１００の概要の説明図である。
図１２では、図１と異なり、施設内のエリアは、入口側から目的地側に向かって順に、小エリアＡ−１，Ａ−２：ショッピングエリア、小エリアＢ：レストランエリア、小エリアＣ−１，Ｃ−２，Ｃ−３：ロビーエリアに分割されている。
【００３６】
図１３は、実施の形態２に係る表示システム１００の構成図である。
図１３に示す表示システム１００では、表示コンテンツ決定装置１０が、図２に示す実施の形態１に係る表示コンテンツ決定装置１０が備える機能に加え、エリア記憶部１９を備える。
【００３７】
エリア記憶部１９は、目的地毎に、入口からその目的地へ向かう際に参加者が通る可能性がある小エリアを記憶する記憶装置である。
図１４は、エリア記憶部１９が記憶する情報の例を示す図である。
図１４では、エリア記憶部１９は、目的地毎に、小エリアを記憶している。
【００３８】
また、実施の形態２では、図１５に示すように、予想時間記憶部１５は、細かく分割された小エリア毎に、到着時間帯を記憶している。また、図１６に示すように、コンテンツ記憶部１７は、細かく分割された小エリアと時間帯と言語とイベント種別毎に、コンテンツを記憶している。
【００３９】
イベント特定部１１の動作は、図９に示す実施の形態１のイベント特定部１１の動作と以下のＳ１１，Ｓ１４を除き同じである。
イベント特定部１１は、Ｓ１１で、イベント情報記憶部１４に記憶された情報と、予想時間記憶部１５に記憶された情報とに加え、エリア記憶部１９に記憶された情報を取得する。そして、Ｓ１４で、イベント特定部１１は、選択したレコードのイベントの開始時刻と、予想時間記憶部１５から取得した各小エリアについての予想時間帯とから、選択したレコードの目的地に対してエリア記憶部１９が記憶した小エリアについて、選択したレコードのイベントの参加者が到着する時刻（時間帯）を特定する。
イベント特定部１１が動作した結果、到着イベント記憶部１６には、図１７に示す情報が記憶される。そして、図１７に示す情報を、小エリア、時間帯をキーとして並び変えると、図１８のようになる。
【００４０】
表示コンテンツ決定部１２の動作は、図１０に示す実施の形態１のイベント特定部１１の動作と同じである。
表示コンテンツ決定部１２が動作した結果、決定コンテンツ記憶部１８には、図１９に示す情報が記憶される。
【００４１】
以上のように、実施の形態２に係る表示コンテンツ決定装置１０は、小エリアが細かく設定されている場合には、目的地毎に参加者が通過する可能性のある小エリアを登録しておく。これにより、表示コンテンツをより適切に決定することができる。
【００４２】
実施の形態３．
実施の形態３では、複数のイベントの参加者が、同一の小エリアに同時にいる場合に、表示コンテンツを決定する方法について説明する。
実施の形態３では、実施の形態１と同一の部分については説明を省略し、実施の形態１と異なる部分のみ説明する。
【００４３】
図２０は、到着イベント記憶部１６が記憶する情報の例を示す図である。
図２０では、小エリアＡに、１２：００〜１２：１５に、イベント１０の参加者と、イベント２０の参加者とが到着することが示されている。イベント１０は音楽会が日本語で実施され、イベント２０は言論大会が英語で実施される。そのため、図１０のＳ２４では、小エリアＡにおける１２：００〜１２：１５の表示コンテンツとして、２つのコンテンツが選択されてしまう。
そこで、このように、同一の小エリアにおける同一時間帯の表示コンテンツとして複数のコンテンツが選択された場合、表示コンテンツ決定部１２は以下の決定方法１〜３の方法で表示コンテンツを決定する。
【００４４】
（決定方法１）
決定方法１では、表示コンテンツ決定部１２は、参加者の人数が多いイベントの種別及び言語に対応したコンテンツを表示コンテンツに決定する。なお、イベントの収容人数を参加者の人数として用いてもよいし、そのイベントの予約人数等によって概ねの人数が特定できる場合には、その人数を参加者の人数として用いてもよい。
図２０の場合では、図３に示すように、イベント１０の収容人数が５５０人であり、イベント２０の収容人数が３００人である。そのため、収容人数が多い、イベント１０の種別及び言語に対応したコンテンツが表示コンテンツに決定される。
【００４５】
（決定方法２）
決定方法２では、表示コンテンツ決定部１２は、全てのイベントの種別及び言語に対応したコンテンツを表示コンテンツとして決定し、各イベントの参加者の人数の比に応じた時間割合又は回数割合で、各表示コンテンツを表示する時間又は回数を決定する。
図２０の場合では、図３に示すように、イベント１０の収容人数が５５０人であり、イベント２０の収容人数が３００人であり、人数の比は、１１：６である。そのため、イベント１０の種別及び言語に対応したコンテンツと、イベント２０の種別及び言語に対応したコンテンツとが、１１：６の時間割合又は回数割合で表示される。
【００４６】
（決定方法３）
決定方法３では、表示コンテンツ決定部１２は、全てのイベントの種別及び言語に対応したコンテンツを表示コンテンツとして決定し、各イベントの参加者の到着人数の比に応じた時間割合又は回数割合で、各表示コンテンツを表示する時間又は回数を決定する。
【００４７】
図２１は、図２０の場合に決定方法３を適用した例を示す図である。
図２１（ａ１）は、音楽会の参加者が開始時刻の何時間前に小エリアＡに到着するかを示す分布図である。図２１（ａ２）は、図２１（ａ１）が示す到着人数の分布と、イベント１０の収容人数とから、各時刻におけるイベント１０の到着人数を計算し、示した図である。
図２１（ｂ１）は、言論大会の参加者が開始時刻の何時間前に小エリアＡに到着するかを示す分布図である。図２１（ｂ２）は、図２１（ｂ１）が示す到着人数の分布と、イベント２０の収容人数とから、各時刻におけるイベント２０の到着人数を計算し、示した図である。
図２１（ａ２）に示す１２：００〜１２：１５に到着する人数を合計することにより、１２：００〜１２：１５に到着するイベント１０の参加者の人数を計算できる。同様に、図２１（ｂ２）に示す１２：００〜１２：１５に到着する人数を合計することにより、１２：００〜１２：１５に到着するイベント２０の参加者の人数を計算できる。
表示コンテンツ決定部１２は、計算されたイベント１０の参加者の人数と、イベント２０の参加者の人数との比に応じた時間割合又は回数割合で、各表示コンテンツを表示する時間又は回数を決定する。
【００４８】
また決定方法３を用いるとき、到着人数の分布ではなく到着人数の比を用いてもよい。具体的には例えばイベント１０について、イベント開始１時間前〜４５分前が１、イベント開始４５分前〜３０分前が２、イベント開始３０分前からイベント開始時刻までが１という到着人数比のデータを有し、イベント２０についてイベント開始１時間前〜４５分前が２、イベント開始４５分前〜３０分前が３、イベント開始３０分前からイベント開始時刻までが１という到着人数比のデータを有しているとき、その到着人数の比の比較により、各表示コンテンツを表示する時間又は回数を決定するように構成してもよい。
【００４９】
以上のように、実施の形態３に係る表示コンテンツ決定装置１０は、複数のイベントの参加者が、同一の小エリアに同時にいる場合に、表示コンテンツを適切に決定することができる。
なお、実施の形態１〜３で用いた、予想時間記憶部１５に含まれる到着時間帯は、以下のような方法により設定することができる。
１つ目の方法は、表示システム１００の管理者からの指定を受け付けて設定する方法である。
２つ目の方法は、図２１に示すような各エリアへの参加者の到着時刻分布図を用いて、到着時刻分布図の頂点の時刻から前後に任意の時間帯をそのエリアにおける到着時間帯とする方法である。例えば、頂点の時刻から前後任意の時間帯を１５分と設定したとき、図２１（ａ２）に示す分布図で、頂点がイベント開始時間の６５分前であると判定したら、到着時間帯は、イベント開始８０分前〜５０分前と算出する。このように各エリアの到着時刻分布図を用いて、エリア毎の到着時間帯を算出し、設定する。また到着時刻分布図は、過去の到着時刻の実績データから推定したもの等、任意に設定したものを用いることができる。
３つ目の方法は、各エリアへの参加者の到着人数比を用いて、到着人数比が一番多い時間帯の中心の時刻から前後に任意の時間帯をそのエリアにおける到着時間帯とする方法である。例えば、イベント開始９０分前〜６０分前が１、イベント開始６０分前〜４０分前が２、イベント開始４０分前〜１５分前が１という割合を設定し、さらに前後任意の時間帯を１５分と設定したとき、イベント開始６０分前〜４０分前が到着人数比が一番多い時間帯となる。その中心の時刻が、イベント開始５０分前となるので、到着時間帯は、イベント開始３５分前〜６５分前となる。
予想時間記憶部１５は、以上説明したいずれかの方法で設定することができ、イベント毎に到着時間帯を算出するように、構成してもよい。また２つ目の方法で用いた到着時刻分布図、３つ目の方法で用いた到着人数比は、季節や時間帯で異なるものを用いるように構成してもよい。
【００５０】
図２２は、実施の形態１〜３に示した表示コンテンツ決定装置１０、ＤＳ端末２０のハードウェア構成の例を示す図である。
表示コンテンツ決定装置１０、ＤＳ端末２０はコンピュータであり、表示コンテンツ決定装置１０、ＤＳ端末２０の各要素をプログラムで実現することができる。
表示コンテンツ決定装置１０、ＤＳ端末２０のハードウェア構成としては、バスに、演算装置９０１、外部記憶装置９０２、主記憶装置９０３、通信装置９０４、入出力装置９０５が接続されている。
【００５１】
演算装置９０１は、プログラムを実行するＣＰＵ（Ｃｅｎｔｒａｌ  Ｐｒｏｃｅｓｓｉｎｇ  Ｕｎｉｔ）等である。外部記憶装置９０２は、例えばＲＯＭ（Ｒｅａｄ  Ｏｎｌｙ  Ｍｅｍｏｒｙ）やフラッシュメモリ、ハードディスク装置等である。主記憶装置９０３は、例えばＲＡＭ（Ｒａｎｄｏｍ  Ａｃｃｅｓｓ  Ｍｅｍｏｒｙ）等である。通信装置９０４は、例えば通信ボード等である。入出力装置９０５は、例えばマウス、キーボード、ディスプレイ装置等である。
【００５２】
プログラムは、通常は外部記憶装置９０２に記憶されており、主記憶装置９０３にロードされた状態で、順次演算装置９０１に読み込まれ、実行される。
プログラムは、イベント特定部１１、表示コンテンツ決定部１２、送信部１３として説明している機能を実現するプログラムである。
更に、外部記憶装置９０２にはオペレーティングシステム（ＯＳ）も記憶されており、ＯＳの少なくとも一部が主記憶装置９０３にロードされ、演算装置９０１はＯＳを実行しながら、上記プログラムを実行する。
また、実施の形態１〜３の説明において、「〜の取得」、「〜の特定」、「〜の決定」、「〜の送信」等として説明している処理の結果を示す情報やデータや信号値や変数値が主記憶装置９０３にファイルとして記憶されている。
【００５３】
なお、図２２の構成は、あくまでも表示コンテンツ決定装置１０、ＤＳ端末２０のハードウェア構成の一例を示すものであり、表示コンテンツ決定装置１０、ＤＳ端末２０のハードウェア構成は図２２に記載の構成に限らず、他の構成であってもよい。
【符号の説明】
【００５４】
１０  表示コンテンツ決定装置、１１  イベント特定部、１２  表示コンテンツ決定部、１３  送信部、１４  イベント情報記憶部、１５  予想時間記憶部、１６  到着イベント記憶部、１７  コンテンツ記憶部、１８  決定コンテンツ記憶部、１９  エリア記憶部、２０  ＤＳ端末、２１  受信部、２２  表示部、１００  表示システム。
【要約】
【課題】人手によることなく、各ＤＳ端末に表示する表示コンテンツを適切に決定することを目的とする。
【解決手段】表示コンテンツ決定装置１０は、各イベントの開始時刻と、目的地へ向かう参加者がイベントの開始時刻の何時間前に各小エリアに到着するかの予想時間とから、各小エリアについて、時刻毎に、到着する参加者がいるイベントを特定し、各小エリアについて、時刻毎に、特定したイベントの種別に応じたコンテンツを、その小エリアに設置された表示装置におけるその時刻の表示コンテンツとして決定する。
【選択図】図２【図１】
0005643397.tif 000002
【図２】
0005643397.tif 000003
【図３】
0005643397.tif 000004
【図４】
0005643397.tif 000005
【図５】
0005643397.tif 000006
【図６】
0005643397.tif 000007
【図７】
0005643397.tif 000008
【図８】
0005643397.tif 000009
【図９】
0005643397.tif 000010
【図１０】
0005643397.tif 000011
【図１１】
0005643397.tif 000012
【図１２】
0005643397.tif 000013
【図１３】
0005643397.tif 000014
【図１４】
0005643397.tif 000015
【図１５】
0005643397.tif 000016
【図１６】
0005643397.tif 000017
【図１７】
0005643397.tif 000018
【図１８】
0005643397.tif 000019
【図１９】
0005643397.tif 000020
【図２０】
0005643397.tif 000021
【図２１】
0005643397.tif 000022
【図２２】
0005643397.tif 000023